(57)【要約】【課題】リサイクル製品を生産する製造業者が原料を回収する場合に、回収資源に対して前記製造業者が有価価値を付与し、その有価価値を使用して、消費者が前記リサイクル製品を割引購入でき、前記リサイクル製品を回収する場合においても同様に有価価値を付与し、前記リサイクル製品又は前記リサイクル製品を原料として製造する再リサイクル成型品を割引購入できる資源回収システムを提供することを目的とする。【解決手段】使用済みの包装用容器ＰＴの再利用可能な資源を回収する回収装置１０と、該回収装置１０で回収した資源ＰＴに基づいて有価価値を記憶媒体Ｃに付与する有価価値付与手段５０と、前記回収装置１０で回収する再利用可能資源ＰＴを原料として製造されるリサイクル製品ＣＰを販売する場合に、前記記憶媒体Ｃに付与された前記有価価値に応じた金額を前記リサイクル製品ＣＰの販売価格から減じて販売する販売手段３０，５０とを設けて構成した。【選択図】    図１
2008250974.tif 000002
【特許請求の範囲】
【請求項１】
使用済みの包装用容器の再利用可能な資源を回収する回収装置と、
該回収装置で回収した資源に基づいて有価価値を記憶媒体に付与する有価価値付与手段と、
前記回収装置で回収する再利用可能資源を原料として製造されるリサイクル製品を販売する場合に、前記記憶媒体に付与された前記有価価値に応じた金額を前記リサイクル製品の販売価格から減じて販売する販売手段と、
を備えることを特徴とする資源回収システム。
【請求項２】
前記資源はポリエチレンテレフタレートを原料とする包装用容器であり、前記リサイクル製品はカーペットであることを特徴とする請求項１に記載の資源回収システム。
【請求項３】
前記リサイクル製品は前記リサイクル製品固有の有価価値情報を記憶した記憶手段を備え、
前記リサイクル製品の回収を受け付けて前記リサイクル製品の有価価値を前記記憶媒体に付与する有価価値付与手段を、
さらに備えることを特徴とする請求項１又は２に記載の資源回収システム。
【請求項４】
前記回収装置は、前記資源を回収する際に音声又は／及び音楽を出力する音声等発生手段を、さらに備えることを特徴とする請求項１乃至３の何れかに記載の資源回収システム。
【発明の詳細な説明】
【技術分野】
【０００１】
本発明は、主として飲料水の使用済み容器（所謂ＰＥＴボトル）等の再利用可能な資源を原料としてリサイクル製品（カーペット及び衣料等）を生産する製造業者が原料を回収する場合において、消費者が提供する資源に対して有価価値を付与し、その有価価値を使用して、消費者が前記リサイクル製品を割引購入できる資源回収システムに関し、より詳細には、前記有価価値の付与等を記憶媒体を用いて行い、前記有価価値の付与及び消費等の管理を所定の管理装置にて行う資源回収システムに関する。
【背景技術】
【０００２】
従来、前述のような資源回収システムとしては、例えば、小売店舗が、飲料水の使用済み容器（ＰＥＴボトル）や、トレイ、パックなどの廃棄資源を回収し、消費者に対してスタンプサービスやポイント還元サービスなどを提供するシステムがある。
【０００３】
前記の廃棄資源の回収に使用される装置としては、例えば、特公平７−１２０４５９号（特許文献１）に記載された回収装置が公知である。前記の回収装置は、主として飲料等を充填するアルミニューム缶等の空缶や消耗電池等の廃棄資源の回収を促進させる回収装置に関するものであり、空缶や消耗電池等の廃品の投入口と、投入された廃品の収集部と、回収廃品の累積数に相当するデータを目視表記する表記部と残存ポイント数を記憶する磁気記憶部とをそれぞれ表面及び裏面に有する個人専用カードの挿入口と、この挿入口に装着された前記カードの磁気記憶部に対しこれに記憶の残存ポイント数を読み出すとともに新たなポイント数を記憶するカードリーダー・ライター部と、廃品の投入個数または種別毎の投入個数に基づき算出された今回のポイント数と前記リーダー・ライター部で読み出された残存ポイント数との加算手段と、この加算値に基づきマーキング数を算出するマーク数算出手段と、この算出されたマーキング数に相当するマーク、数字または透孔を前記表記部に表示する表示手段と、前記マーク数算出手段の算出結果による残存ポイント数を前記カードリーダー・ライター部により前記磁気記憶部に更新して記憶させる記憶手段とを備えるものであって、廃品の投入に際して、自身が所有しているカードを装置に挿入して装着すると、このカードの磁気記憶部に記憶されている残存ポイント数をカードリーダー・ライター部が読み取り、そして、廃品を投入口から投入すると、この廃品の個数または種別毎に予め決定されたポイント数が計数され、このカウント数に対応するポイント数と前述の残存ポイント数とを加算した後に、この加算ポイント数を所定数、例えば１０で除算してマーキング数を算出し、そして、表示手段によりカードの表記部に算出個数のマーク、数字または透孔がスタンプ手段、ドット印字手段または穿孔手段等の表示手段で目視表示され、このカードの表示により自身が回収した廃品の累積成果を視認できるとともに、磁気記憶部に残存ポイント数が、次回の廃品回収時に算入するためにカードの磁気記憶部に新たに記憶されるように構成されている。
【０００４】
【特許文献１】特公平７−１２０４５９号公報  第１頁
【０００５】
しかしながら、前記回収装置では、使用されるカードは磁気カードであり、記録する容量自体が非常に少ないものであるし、また計算機構を備えていないので、複雑な回収システムに使用する場合には、高度な情報処理ができず、全く適さないものである。
【０００６】
一方、高度な情報システムを利用した資源回収システムとしては、例えば、特開２００２−２４４８４号（特許文献２）に記載のものがある。前記資源回収システムは、小売店舗が、消費者毎にポイントカードを発行し、再利用可能な資源を持ち込む毎に、消費者のポイントカードにポイント（有価価値）を付与し、消費者のポイントは、小売店舗のＰＯＳシステムによって管理され、消費者は、次回の商品購入時にポイントに応じた割引サービスや、ポイントに応じた金銭的価値を有するサービスを享受できるシステムであって、卸売業者及び製造業者にポイント負担を分散して、ポイントをデータベース（ＤＢ）で管理するものである。
【０００７】
より具体的には、このシステムは、小売店舗に設置されているＰＯＳシステムに、小売店舗が消費者から廃棄資源を回収した場合にその回収に対する金銭的価値に相当するポイントを計算する計算部と、前記小売店舗の消費者毎の前記ポイントを管理する消費者データベースと、前記ポイントに相当する金額を負担する前記小売店舗以外の負担先毎の前記ポイントを管理する負担先データベースと、前記消費者データベース上における消費者のポイントを前記計算されたポイントに基づいて更新し、さらに、前記負担先データベース上におけるポイントを負担する負担先のポイントを、前記計算されたポイントに基づいて更新する更新部とを備えさせて、前記のポイントの管理を行っている。
【０００８】
【特許文献２】特開２００２−２４４８４公報  第１頁
【発明の開示】
【発明が解決しようとする課題】
【０００９】
しかしながら、前記の資源回収システムでは、単にポイントに対する負担を小売店舗、卸売業者及び製造業者にそれぞれ負担させるものなので、消費者のリサイクルに対する意識を向上させるものではなく、また、ポイントに対して消費者に還元する原資としては、物販の利益からの供出となり、それぞれの業者の負担となる。さらに、例えば小売店舗に設置されているＰＯＳシステムを利用して前記ポイントを管理する場合は、同一グループに属する小売店舗間でしかポイントを管理することができないこととなる。
【００１０】
他方において、飲料水の使用済み容器等の再利用可能な資源を原料としてリサイクル製品を生産する製造業者が存在しており、この製造業者は、例えば、原料を有償にて購入している。しかしながら、前記製造業者が、直接消費者から再生可能な資源を回収すれば、前記小売店舗等の負担が無くなると共に、ポイントに対して消費者に還元する原資として原料の仕入費用を充当すればよいこととなり、負担は少なくて済む。また、ポイントの消費先として、前記製造業者の製造するリサイクル製品に限定すれば、消費者のリサイクルに対する理解も容易なものとなり、リサイクルに対する意識が向上すると共に、前記製造業者のリサイクル製品の販売促進に供することともなる。
【００１１】
本発明は、かかる事情に鑑みてなされたものであって、主として飲料水の使用済み容器（ＰＥＴボトル）等の再利用可能な資源を原料としてリサイクル製品（カーペット及び衣料等）を生産する製造業者が原料を回収する場合において、消費者が提供する再利用可能な資源に対して、前記製造業者が有価価値を付与し、その有価価値を使用して、消費者が前記リサイクル製品を割引購入できる資源回収システムであって、前記有価価値の付与及び消費を記憶媒体を用いて行い、その管理を前記製造業者の管理装置にて行う資源回収システムを提供することを目的とする。
【課題を解決するための手段】
【００１２】
請求項１に記載の資源回収システムは、使用済みの包装用容器の再利用可能な資源を回収する回収装置と、該回収装置で回収した資源に基づいて有価価値を記憶媒体に付与する有価価値付与手段と、前記回収装置で回収する再利用可能資源を原料として製造されるリサイクル製品を販売する場合に、前記記憶媒体に付与された前記有価価値に応じた金額を前記リサイクル製品の販売価格から減じて販売する販売手段と、を備えることを特徴とする資源回収システム。
【００１３】
請求項１に記載の資源回収システムにあっては、再利用可能な資源を原料としてリサイクル製品を生産する製造業者が、直接消費者から再生可能な資源を回収することができると共に、有価価値に対して消費者に還元する原資として原料の仕入費用を充当することができる。また、有価価値の消費先として、前記製造業者の製造するリサイクル製品に限定しているので、消費者のリサイクルに対する理解も容易なものとなり、リサイクルに対する意識が向上すると共に、前記製造業者のリサイクル製品の販売促進に供することともなる。
【００１４】
請求項２に記載の資源回収システムは、請求項１に記載の資源回収システムにおいて、前記資源はポリエチレンテレフタレートを原料とする包装用容器であり、前記リサイクル製品はカーペットであることを特徴とする。
【００１５】
請求項２に記載の資源回収システムにあっては、再利用可能な資源を原料として再生カーペットを生産する製造業者が、直接消費者からポリエチレンテレフタレートを原料とする包装用容器を回収することができると共に、有価価値に対して消費者に還元する原資として原料の仕入費用を充当することができる。また、有価価値の消費先として、前記製造業者の製造する再生カーペットに限定しているので、消費者のリサイクルに対する理解も容易なものとなり、リサイクルに対する意識が向上すると共に、前記製造業者の再生カーペットの販売促進に供することができる。
【００１６】
請求項３に記載の資源回収システムは、請求項１又は２に記載の資源回収システムにおいて、前記リサイクル製品は前記リサイクル製品固有の有価価値情報を記憶した記憶手段を備え、前記リサイクル製品の回収を受け付けて前記リサイクル製品の有価価値を前記記憶媒体に付与する有価価値付与手段を、さらに備えることを特徴とする。
【００１７】
請求項３に記載の資源回収システムにあっては、リサイクル製品に前記リサイクル製品固有の有価価値情報を記憶した記憶手段を備えているので、例えば、前記リサイクル製品をさらに回収する場合に、前記リサイクル製品に予め設定された有価価値（リサイクルポイント）を、消費者の有する記憶媒体に付与できるので、リサイクル製品をさらにリサイクルすることを奨励できると共に、リサイクル製品を原料とする再リサイクル成型品をさらに生産する製造業者が、直接消費者から再生可能な資源を回収することができる。
【００１８】
請求項４に記載の資源回収システムは、請求項１乃至３の何れかに記載の資源回収システムにおいて、前記回収装置は、前記資源を回収する際に音声又は／及び音楽を出力する音声等発生手段を、さらに備えることを特徴とする。
【００１９】
請求項４に記載の資源回収システムにあっては、前記資源を回収する際に、音声又は／及び音楽を出力することができ、その内容をリサイクル活動を奨励させる動機付けを与えるような内容とすることや、前記資源の回収に対する興趣性を高めるような内容とすることにより、より効率的な資源回収を行うことができる。
【発明の効果】
【００２０】
請求項１に記載の資源回収システムによれば、使用済みの包装容器等の再利用可能な資源を回収する回収装置と、該回収装置で回収した資源に基づいて有価価値を記憶媒体に付与する有価価値付与手段と、前記回収装置で回収する再利用可能資源を原料として製造されるリサイクル製品を販売する販売手段と備え、前記販売手段において前記リサイクル製品を販売する場合に、前記記憶媒体に付与された前記有価価値に応じた金額を前記リサイクル製品の販売価格から減じて販売するので、再利用可能な資源を原料としてリサイクル製品を生産する製造業者が、直接消費者から再生可能な資源を回収することができると共に、有価価値に対して消費者に還元する原資として原料の仕入費用を充当することができる。また、有価価値の消費先として、前記製造業者の製造するリサイクル製品に限定しているので、消費者のリサイクルに対する理解も容易なものとなり、リサイクルに対する意識が向上すると共に、前記製造業者のリサイクル製品の販売促進に供することができる。
【００２１】
請求項２に記載の資源回収システムは、請求項１に記載の資源回収システムにおいて、前記資源はポリエチレンテレフタレートを原料とする包装用容器であり、前記リサイクル製品はカーペットであるので、再利用可能な資源を原料として再生カーペットを生産する製造業者が、直接消費者からポリエチレンテレフタレートを原料とする包装用容器を回収することができると共に、有価価値に対して消費者に還元する原資として原料の仕入費用を充当することができる。また、有価価値の消費先として、前記製造業者の製造する再生カーペットに限定しているので、消費者のリサイクルに対する理解も容易なものとなり、リサイクルに対する意識が向上すると共に、前記製造業者の再生カーペットの販売促進に供することができる。
【００２２】
請求項３に記載の資源回収システムによれば、請求項１又は２に記載の資源回収システムにおいて、前記リサイクル製品は前記リサイクル製品固有の有価価値情報を記憶した記憶手段を備え、前記リサイクル製品の回収を受け付けて前記リサイクル製品の有価価値を前記記憶媒体に付与する有価価値付与手段を、さらに備えているので、前記リサイクル製品をさらに回収する場合に、前記リサイクル製品に予め設定された有価価値（リサイクルポイント）を、消費者の有する記憶媒体に付与でき、リサイクル製品をさらにリサイクルすることを奨励できると共に、リサイクル製品を原料とする再リサイクル成型品をさらに生産する製造業者が、直接消費者から再生可能な資源を回収することができる。
【００２３】
請求項４に記載の資源回収システムは、請求項１乃至３の何れかに記載の資源回収システムにおいて、前記回収装置は、前記資源を回収する際に音声又は／及び音楽を出力する音声等発生手段を、さらに備えているので、前記資源を回収する際に、音声又は／及び音楽を出力することができ、その内容をリサイクル活動を奨励させる動機付けを与えるような内容とすることや、前記資源の回収に対する興趣性を高めるような内容とすることにより、より効率的な資源回収を行うことができることとなる。
【発明を実施するための最良の形態】
【００２４】
以下、本発明を実施するための最良の形態を図面に基づいて具体的に説明する。
【００２５】
図１は、本発明の資源回収システムの構成例を示すブロック図である。図１において、Ａは傘下に複数のショッピングセンターＳ／Ｓ１，Ｓ／Ｓ２・・を有する物品販売会社であり、Ｂは店内に複数の店舗ａ店、ｂ店・・を有するショッピングモールＳ／Ｍである。Ｄは資源回収主体であり、かつ回収した資源を原料としてリサイクル製品を製造すると共に、該リサイクル製品を、前記各ショッピングセンターＳ／Ｓ１，Ｓ／Ｓ２・・及びショッピングモールＳ／Ｍに販売する製造販売業者である。なお、前記製造販売業者Ｄは、前記リサイクル製品を、さらに回収して、これを原料として再リサイクル成型品ＲＭを製造販売すると共に、該再リサイクル成型品ＲＭを、さらに回収して、これを原料として再リサイクル成型品ＲＭを製造販売する。
【００２６】
前記各ショッピングセンターＳ／Ｓ１，Ｓ／Ｓ２・・及びショッピングモールＳ／Ｍ内には、専らＰＥＴボトルＰＴを回収する回収装置１０を設置しており、該回収装置１０はインターネット回線ＮＷに接続している。また、前記各ショッピングセンターＳ／Ｓ１，Ｓ／Ｓ２・・及びショッピングモールＳ／Ｍの精算場には後述するＩＣカード及びＩＣタグを読み書きする店舗端末３０を配備しており、該店舗端末３０は、専用回線にて前記回収装置１０を中継させて前記インターネット回線ＮＷに接続させている。なお、前記各ショッピングセンターＳ／Ｓ１，Ｓ／Ｓ２・・には、商品代金精算用のＰＯＳ端末がそれぞれ配備されており、前記各ＰＯＳ端末は専用回線で接続されると共に、前記店舗端末３０とも接続している。
【００２７】
Ｃは本資源回収システムにおいて使用される記憶媒体であり、無線用アンテナ、ＣＰＵ及び半導体メモリを備えた非接触ＩＣカード（以下、カードＣという）である。
【００２８】
図１に示すように、本資源回収システムにおいては、消費者Ｕが前記回収装置１０に使用済みのＰＥＴボトルＰＴを投入すると、前記消費者Ｕの前記カードＣにポイントが加算され、前記消費者Ｕはその積算されたポイントを使用することによって、前記製造販売業者Ｄが製造する前記リサイクル製品ＣＰ（ＰＥＴボトルＰＴから製造されたカーペット等のリサイクル製品）および前記再リサイクル成型品ＲＭを、ポイント分値引きして購入することができる。また、前記リサイクル製品ＣＰを廃棄する場合においても、前記の店舗Ｓ／Ｓ１，Ｓ／Ｓ２・・等に持ち寄ることにより、前記消費者Ｕの前記カードＣにポイントが加算される。一方、回収された前記リサイクル製品ＣＰは前記製造販売業者Ｄによって、再リサイクル成型品ＲＭ（輸送用パレット、テーブル、ベンチ、車輪止め、花壇（プランター）等の成型品）の原料として使用され、前記再リサイクル成型品ＲＭも、前記リサイクル製品ＣＰと同様に、前記店舗Ｓ／Ｓ１，Ｓ／Ｓ２・・等で環境製品として販売されて、前記ポイント使用可能対象商品としている。なお、前記再リサイクル成型品ＲＭについても、前記リサイクル製品ＣＰと同様に廃棄する場合には、前記店舗Ｓ／Ｓ１，Ｓ／Ｓ２・・等に持ち寄ることにより、前記消費者Ｕの前記カードＣにポイントが加算される。
【００２９】
そして、このような前記カードＣのポイントの加算消費及び値引処理、その精算等の一連の処理の管理は前記製造販売業者Ｄが備える管理装置５０によってなされるのであり、これにより、前記消費者Ｕは、自己の廃棄した前記ＰＥＴボトルＰＴ、前記リサイクル製品ＣＰまたは前記再リサイクル成型品ＲＭの再生（再々生）利用状況を明確に意識することができ、リサイクルに対する意識が向上し、資源回収に積極的に参加するうえでの動機付けとなり、効率のよい資源回収がなされることとなる。
【００３０】
７０は通信端末であり、インターネット環境を備えるパーソナルコンピュータ及び携帯電話等が使用される。これによって、前記消費者Ｕは、前記消費者Ｕの持つポイント情報又は特典情報等の各種の情報を、前記通信端末７０から取得することが可能となる。
【００３１】
図２は、前記回収装置１０の斜視図である。図２において、１１は前記ＰＥＴボトルＰＴを投入する投入口である。該投入口１１に連通して有底形状の計量部１２が設けられている。該計量部１２で投入された前記ＰＥＴボトルＰＴの重量が計量される。また、前記計部１２の適宜箇所には、複数の光電センサ（図示せず。）が取り付けられており、投入された前記ＰＥＴボトルＰＴが、そのままの形状か切断された形状かを判別できるように構成されている。前記計量部１２の底１３は、電動にて開閉自在となるように取り付けられており、投入された前記ＰＥＴボトルＰＴの計量及び形状の判別が済むと、開状態となり下部に配置されている回収ボックス１４に落下させて収容する。該回収ボックス１４は、前記回収装置１０の側面から取り出すことができるように構成されている。
【００３２】
図中１５は、ディスプレイ表示部であり、液晶パネルで構成される。該ディスプレイ表示部１５の下方には、コントロールパネル１６が配置されており、該コントロールパネル１６にはカード発行ボタン１６ａ、店内案内図表示ボタン１６ｂ及び店内誘導灯点灯ボタン１６Ｃが設けられている。前記コントロールパネル１６の横には、カード発行口１７とその下にカードＲ／Ｗ部１８が配置されている。また。前記回収装置１０の天板には無線に依る通信のためのアンテナ１９が設けられている。
【００３３】
図３は、前記回収装置１０の電気的構成を示すブロック図である。図３に示すように、前記回収装置１０は、ＣＰＵ２０を有しており、該ＣＰＵ２０は、ＩＣカード発行部２１、ＩＣカードＲ／Ｗ２２、計測部２３、ＤＳＰ表示部２４、売場誘導手段発動部２５及び警報装置２６と接続され、それらの制御を行う。
【００３４】
前記警報装置２６は、前記回収ボックス１４が満杯になった場合や、前記計量部１２において、不適切な物品が投入された場合に検知されて発動される。
【００３５】
第１通信Ｉ／Ｆ２７は、前記店舗端末３０と通信するためのインタフェースであり、第２通信Ｉ／Ｆ２８は、前記インターネットＮＷと接続するためのインタフェースである。
【００３６】
ＲＡＭ２９は、例えばＳＲＡＭ又はＤＲＡＭ等で構成され、コンピュータプログラムの実行時に発生する一時的なデータを記憶する。
【００３７】
図４は、前記管理装置５０の電気的構成を示すブロック図である。図４において、４０はＣＰＵであり、後述する情報提供装置４１とハードディスク４２とに接続され、それらの制御を行っている。なお、通信Ｉ／Ｆ４３は、前記インターネットＮＷと接続するためのインタフェースである。ＲＡＭ４４は、例えばＳＲＡＭ又はＤＲＡＭ等で構成され、コンピュータプログラムの実行時に発生する一時的なデータを記憶する。
【００３８】
前記ハードディスク４２は、前記管理装置５０の動作に必要な種々のコンピュータプログラム及び各種のデータを格納している。またハードディスク４２は、後述する４つのデータベース（カード情報ＤＢ４２ａ、特典情報ＤＢ４２ｂ、商品情報ＤＢ４２Ｃ及び精算ＤＢ４２ｄ）を有している。
【００３９】
図５は、前記カード情報ＤＢ４２ａに格納されているファイルのフォーマット例を示す概念図である。図５に示すとおり、前記カード情報ＤＢ４２ａに格納されるファイル６０には、カードＩＤフィールド６０ａ、日付フィールド６０ｂ、装置ＩＤフィールド６０ｃ、加算ポイントフィールド６０ｄ、加算ポイント累計フィールド６０ｅ、消費ポイントフィールド６０ｆ、及びポイント合計フィールド６０ｇの７つのフィールドを設けている。
【００４０】
そして前記カードＩＤフィールド６０ａにはポイント記憶媒体である前記カードＣのカードＩＤが格納され、日付フィールド６０ｂにはポイントが加算又は消費された日付情報が格納され、装置ＩＤフィールド６０ｃにはポイントが加算された前記回収装置１０の識別記号である回収装置ＩＤ又はポイントが消費された前記店舗端末３０の識別記号である店舗端末ＩＤが格納され、加算ポイントフィールド６０ｄには前記回収装置１０に投入したＰＥＴボトルＰＴに応じて付与されたポイント情報が格納され、消費ポイントフィールド６０ｆには前記店舗端末３０で消費されたポイント情報が格納され、ポイント合計フィールド６０ｇにはその時点でのポイント合計情報が夫々格納されており、前記カードＩＤ毎に履歴順（日付順）に格納されている。
【００４１】
したがって、図５に示すフォーマット例では、例えばカードＩＤが「０００１」であるカードＣは、２００６年２月７日に回収装置ＩＤ「Ａ０１Ｘ」の前記回収装置１０にＰＥＴボトルＰＴを投入し、投入したＰＥＴボトルＰＴに応じたポイントを「１００」得て、その結果、加算ポイント累計が「１００」となり、ポイント合計が「１００」となったこと、次に２００６年３月９日に回収装置ＩＤ「Ａ０３Ｘ」の前記回収装置１０にＰＥＴボトルＰＴを投入し、投入したＰＥＴボトルＰＴに応じたポイントを「２００」得て、その結果、加算ポイント累計が「２００」となり、ポイント合計が「３００」となったこと、次に２００６年３月１１日に店舗端末ＩＤ「Ａ０１Ｙ」の前記店舗端末３０において、リサイクル製品を購入し、その購入の際に所有するポイントから所望のポイント「２００」を消費し、前記ポイントに対応する値引額を値引いて購入して、その結果、加算ポイント累計は「３００」のままであり、消費ポイントが「２００」となり、ポイント合計が「１００」となったことを夫々示している。
【００４２】
図６は、前記特典情報ＤＢ４２ｂに格納されているファイルのフォーマット例を示す概念図であり、（ａ）は第１特典情報ファイルを示す概念図であり、（ｂ）は第２特典情報ファイルを示す概念図である。図６に示すように、前記カード情報ＤＢ４２ａには、第１特典情報ファイル７１と、第２特典情報ファイル７２とが格納されており、第１特典情報ファイル７１には、特典種別フィールド７１ａと付加ポイントフィールド７１ｂとを設け、第２特典情報ファイル７２には、特典種別フィールド７２ａと付加ポイントフィールド７２ｂとを設けている。
【００４３】
前記特典種別フィールド７１ａには、特典の種別を格納し、付加ポイントフィールド７１ｂには第１特典によって得られるポイント情報を格納している。同様に前記特典種別フィールド７２ａには、特典の種別を格納し、付加ポイントフィールド７２ｂには第２特典によって得られるポイント情報を格納している。
【００４４】
そして、図６に示すフォーマット例では、例えば第１特典によって得られるポイントは、加算ポイントと同数であり、第１特典が付加されると加算ポイントは２倍となるように設定しており、また、第２特典では、加算ポイントが５００ポイント増える毎に、５０ポイントを付加するように設定しており、消費者Ｕの回収動機を高めるようになしている。
【００４５】
図７は、前記商品情報ＤＢ４２ｃに格納されているファイルのフォーマット例を示す概念図である。図７に示すように、前記商品情報ＤＢ４２ｃに格納されるファイル８０には、商品種別フィールド８０ａ、商品ＩＤフィールド８０ｂ、販売価格フィールド８０ｃ、値引率フィールド８０ｄ及びリサイクルポイントフィールド８０ｅの５つのフィールドを設けている。
【００４６】
前記商品種別フィールド８０ａには前記製造販売業者Ｄが製造販売する商品の種別を格納する。また、前記商品ＩＤフィールド８０ｂには、前記商品種別フィールド８０ａに格納された商品の種別の識別記号である商品ＩＤを格納し、前記販売価格フィールド８０ｃには商品の販売価格情報を格納し、前記値引率フィールド８０ｄには商品の種別に応じて設定した値引率（ポイントに予め設定した定数を乗じたもの）を格納し、前記リサイクルポイントフィールド８０ｅには、その商品をリサイクルした場合に得られるポイントを格納している。
【００４７】
図７に示すフォーマット例では、例えば商品「ラグ」の商品ＩＤは「ＬＧ０１」であり、販売価格は「５８００」円であり、値引率は「ポイント×０，８」であり、リサイクルポイントは「３００」と設定している。したがって、前記商品をラグを購入する際に、例えば「１０００」ポイントを使用（消費）する場合は、値引額は８００円となり、リサイクルする場合は「３００」ポイントが得られる旨を示している。同様に、商品「カーペット３帖」の商品ＩＤは「ＣＰ０１」であり、販売価格は「３９００」円であり、値引率は「ポイント×１，２」であり、リサイクルポイントは「１５０」に設定しており、また商品「カーペット４，５帖」の商品ＩＤは「ＣＰ０２」であり、販売価格は「５８００」円であり、値引率は「ポイント×１」であり、リサイクルポイントは「３００」と設定している。なお、前記商品のラインアップとして、前記再リサイクル成型品ＲＭを揃えても良い。
【００４８】
図８は、前記精算ＤＢ４２ｄに格納されているファイルのフォーマット例を示す概念図である。図８に示すとおり、前記精算ＤＢ４２ｄに格納される精算ファイル９０には、カードＩＤフィールド９０ａ、日付フィールド９０ｂ、商品種別フィールド９０ｃ、消費ポイントフィールド９０ｄ、値引額フィールド９０ｅの５つのフィールドを設けている。
【００４９】
前記カードＩＤフィールド９０ａにはポイント記憶媒体であるカードＣのカードＩＤが格納され、前記日付フィールド９０ｂにはポイントが消費された日付情報が格納され、前記商品種別フィールド９０ｃには前記製造販売業者Ｄが製造販売する商品の種別を格納され、前記消費ポイントフィールド９０ｄには前記店舗端末３０で消費されたポイント情報が格納され、前記値引額フィールド９０ｅには値引額情報を格納している。
【００５０】
図８に示すフォーマット例では、例えばカードＩＤが「０００１」であるカードＣにおいては、２００６年３月１１日に商品種別「ＣＰ０１」の商品（カーペット３帖）を購入した際に、ポイントを「２００」使用して「２４０」円の値引きで購入されたことを示している。
【００５１】
次に本発明の資源回収システムの動作について説明する。図９及び図１０は、回収資源であるＰＥＴボトルＰＴの回収量に応じて、有価価値の記録媒体への付与を行う場合の回収装置１０及び管理装置５０の動作の流れを示すフローチャートである。
【００５２】
先ず、前記消費者Ｕは、前記回収装置１０の投入口１１に使用済みＰＥＴボトルＰＴを投入する。前記回収装置１０の投入口１１に前記使用済みＰＥＴボトルＰＴが投入された場合（ＳＴ１０１でＹＥＳ）は、前記ＤＳＰ表示部１５で、廃ＰＥＴボトルＰＴからカーペットＣＰ（リサイクル製品）ができるまでの製造工程を表示し、前記消費者Ｕの興味を惹き付ける共にリサイクルに対する知識を教授して、リサイクル活動を奨励する。
【００５３】
前記消費者Ｕは、前記カードＣを持っていない場合は、前記カード発行ボタン１６ａを押下してカードＣを入手する。前記カード発行ボタン１６ａを押下すると（ＳＴ１０３でＹＥＳ）、前記回収装１０は、前記インターネットＮＷを介して前記管理装置５０に、カード発行依頼を送信する（ＳＴ１０４）。前記管理装置５０は、前記回収装置１０からカード発行依頼を受信して（ＳＴ１０５）、新規カードファイルを作成して（ＳＴ１０６）、前記カード情報ＤＢ４２ａに格納し（ＳＴ１０７）、前記回収装置に対して、作成した新規カードファイル情報を送信する（ＳＴ１０８）。前記回収装置１０は新規カードファイル情報を受信し（ＳＴ１０９）、予め装置内にストックしてある生カードに前記新規カードファイル情報を書き込み、新規カードを作成して（ＳＴ１１０）、前記カード発行部１７から排出する（ＳＴ１１１）。
【００５４】
前記消費者Ｕが、前記カードＣを予め持っている場合は、前記カードＲ／Ｗ部１８に前記カードＣを挿入（又は載置）し（ＳＴ１１２でＹＥＳ）、前記カードＲ／Ｗ部１８でカードＣ内に記憶されている前記カードＩＤを読み込む（ＳＴ１１３）。そして、投入された前記ＰＥＴボトルＰＴの重量を前記計量部１２で計量して（ＳＴ１１４）、計量した重量に対応するポイントを算出する（ＳＴ１１５）。
【００５５】
次に投入された前記ＰＥＴボトルＰＴが、そのままの形状か切断された形状かを判断する（ＳＴ１１６）。切断片でない場合は、ＳＴ１１５で算出したポイントを、そのまま合算する（ＳＴ１１７）。投入された前記ＰＥＴボトルＰＴが切断片である場合は、ＳＴ１１５で算出したポイント情報と第１特典付加要求信号を送信（ＳＴ１１８）する。加算ポイント情報と第１特典付加要求信号を受信（ＳＴ１１９）した前記管理装置５０は、前記特典情報ＤＢ４２ｂに格納された前記第１特典情報ファイル７１を参照し（ＳＴ１２０）、特典ポイントを算出し（ＳＴ１２１）し、それに基づき前記カード情報ＤＢ４２ａを更新し、ポイントを前記回収装置１０に送信する（ＳＴ１２２）。これを受けて（ＳＴ１２３）、前記回収装置１０は、ポイントを合算する（ＳＴ１１７）。
【００５６】
次に合算されたポイントが、予め定めておいたポイント数に達成したか否かを判断する（ＳＴ１２４）。所定ポイントに達成していない場合は、ＳＴ１１７で合算したポイントに基づいて前記カードＣのカード情報を更新する（ＳＴ１２５）。
【００５７】
所定ポイントに達成している場合は、ＳＴ１１７で合算したポイント情報と第２特典付加要求情報を送信（ＳＴ１２６）する。合算ポイント情報と第２特典付加要求情報を受信（ＳＴ１２７）した前記管理装置５０は、前記特典情報ＤＢ４２ｂに格納された第２特典情報ファイル７２を参照し（ＳＴ１２８）、特典ポイントを算出し（ＳＴ１２９）し、それに基づき前記カード情報ＤＢ４２ａを更新し（ＳＴ１３０）、ポイントを前記回収装置１０に送信する（ＳＴ１３１）。これを受けて（ＳＴ１３２）、前記回収装置１０は、前記カードＣに格納されたカード情報を更新する（ＳＴ１２５）。
【００５８】
そして、前記で合算された合計ポイントを前記ＤＳＰ表示部１５に表示する（ＳＴ１３３）と共に、合計ポイントと商品情報要求信号を前記管理装置５０に送信する（ＳＴ１３４）。合計ポイントと商品情報要求信号を受信（ＳＴ１３５）した前記管理装置５０は、前記商品情報ＤＢ４２ｃを参照して（ＳＴ１３６）、合計ポイントに基づく値引き金額を、各商品毎に算出し（ＳＴ１３７）、値引き金額情報を前記回収装置１０に送信する（ＳＴ１３８）。値引き金額情報を受信した前記回収装置１０（ＳＴ１３９）は、前記ＤＳＰ表示１５に値引き金額と前記リサイクル製品ＣＰ及び／又は前記再リサイクル成型品ＲＭの売場案内図を表示する（ＳＴ１４０）。そして、前記売場誘導灯点灯ボタン１６Ｃが押下された場合は、店内に予め配置されているＬＥＤランプ等から構成される売場誘導灯（図示せず。）を点灯して、処理を終了する。前記売場誘導灯点灯ボタン１６Ｃが押下されない場合は、所定の時間処理を行った後に、処理を終了する。
【００５９】
次に、前記カードＣのポイントを用いて前記リサイクル製品ＣＰを購入する場合及び過去に購入した前記リサイクル製品ＣＰを回収する場合における前記店舗端末３０と前記管理装置５０の動作について説明する。
【００６０】
図１１は、前記カードＣのポイントを用いて前記リサイクル製品ＣＰを購入する場合及び過去に購入した前記リサイクル製品ＣＰを回収する場合における前記店舗端末３０と前記管理装置５０の動作の流れを示すフローチャートである。
【００６１】
先ず、前記店舗端末３０に、前記カードＣを挿入（載置）する（ＳＴ２０１）。前記店舗端末３０は、前記カードＩＤを読み込んで（ＳＴ２０３）、前記カードＣに記憶されているポイントを表示する（ＳＴ２０４）。
【００６２】
前記消費者Ｕがポイントを使用して前記リサイクル製品ＣＰを購入する場合は、前記店舗端末３０に使用するポイント数を入力させて（ＳＴ２０５でＹＥＳ）、消費するポイント情報と前記商品ＩＤを前記管理装置５０に送信し（ＳＴ２１７）、これを受信した前記管理装置５０（ＳＴ２１８）は、ポイント処理を行い（ＳＴ２１９）、それに基づいて値引額を送信（ＳＴ２２０）すると共に前記カード情報ＤＢ４２ａを更新する（ＳＴ２２１）。そして、消費ポイントに基づき、前記精算ファイル９０を作成又は更新して（ＳＴ２２２）、前記精算ＤＢ４２ｄに格納する（ＳＴ２２３）のである。一方、前記店舗端末３０は、前記管理装置５０から値引額情報を受信し（ＳＴ２２４）、それに基づき精算処理を行い（ＳＴ２２５）、前記カードＣに格納されたカード情報を更新して（ＳＴ２２６）、処理を終了する。
【００６３】
前記消費者Ｕが前記リサイクル製品（カーペット）ＣＰを持ち込んで、前記カードＣにポイントを加算する場合は、前記店舗端末３０で、前記リサイクル製品ＣＰに取り付けられている前記ＩＣタグ（図示せず）を読み込んで（ＳＴ２０６でＹＥＳ）、前記ＩＣタグに記憶されている前記商品ＩＤを読み込む（ＳＴ２０８）。そして、前記商品ＩＤと商品情報要求信号を前記管理装置５０に送信し（ＳＴ２０９）、これを受けて（ＳＴ２１０）、前記管理装置５０は、前記商品情報ＤＢ４２ｃを参照して（ＳＴ２１１）、加算すべきリサイクルポイントを読み出し（ＳＴ２１２）、該ポイントを合算処理して（ＳＴ２１３）、それに基づき、前記カード情報ＤＢ４２ａを更新して（ＳＴ２１４）、読み出した前記ポイントを、前記店舗端末３０に送信する（ＳＴ２１５）。前記ポイントを受信した前記店舗端末３０（ＳＴ２１６）は、それに基づき、前記カードＣのカード情報を更新して（ＳＴ２２４）、処理を終了する。
【００６４】
なお、前記再リサイクル成型品ＲＭを、前記カードＣのポイントを用いて購入する場合及び過去に購入した再リサイクル成型品ＲＭを回収する場合における前記店舗端末３０と前記管理装置５０の動作の流れも同様である。
【００６５】
次に、前記管理装置に内蔵する情報提供装置の動作について説明する。図４に示すように、前記情報提供装置４１は、前記管理装置５０に内蔵されており、前記通信インターフェイス４３を介して前記インターネットＮＷに接続されており、前記インターネットＮＷを介して、前記通信端末７０・・と通信を行うことができる。
【００６６】
図１２は、本発明に係るポイント情報取得システムの情報取得処理における通信端末７０及び前記情報提供装置４１の動作の流れを示すフローチャートである。
【００６７】
先ず、前記消費者Ｕは、前記通信端末７０に対して、前記情報提供装置４１へアクセスするように指示する。前記通信端末７０は、前記消費者Ｕから受け付けた指示にしたがい、アクセス許可の要求を示すアクセス要求情報を前記情報提供装置４１へ送信する（ＳＴ３０１）。
【００６８】
前記情報提供装置４１は、前記通信端末７０からアクセス要求情報を受信した場合（ＳＴ３０２）、予め用意している前記識別符号Ｃ１（カードＩＤとは別に付与される符合であって、カードＣに刻印されている。）を入力するための入力画面に関する第１入力画面情報を通信端末７０へ送信する（ＳＴ３０３）。
【００６９】
前記通信端末７０は、前記情報提供装置４１から第１入力画面情報を受信した場合（ＳＴ３０４）、受信した第１入力画面情報に基づいて入力画面を表示画面上に表示する（ＳＴ３０５）。
【００７０】
前記消費者Ｕは、前記通信端末７０の表示画面上に表示されている第１入力画面にしたがって、所有している前記カードＣの表面に印字されている前記識別符号Ｃ１を入力する（ＳＴ３０６）。前記通信端末７０は、前記消費者Ｕから前記識別符号Ｃ１の入力を受け付けた場合、受け付けた前記識別符号Ｃ１を前記情報提供装置４１へ送信する（ＳＴ３０７）。
【００７１】
前記情報提供装置４１は、前記通信端末７０から前記識別符号Ｃ１を受信した場合（ＳＴ３０８）、受信した前記識別符号Ｃ１をキーとして前記カード情報ＤＢ４２ｂに格納されている前記カードＩＤの検索を行う（ＳＴ３０９）。ここでこの検索に失敗した場合（ＳＴ３０９でＮＯ）、検索に失敗したことを示す検索失敗情報を前記通信端末７０へ送信する（ＳＴ３１０）。
【００７２】
前記通信端末７０は、前記情報提供装置４１から検索失敗情報を受信した場合（ＳＴ３１１）、受信した検索失敗情報を表示画面上に表示し（ＳＴ３１２）、処理を終了する。
【００７３】
一方、ＳＴ３０９にて検索に成功した場合（ＳＴ３０９でＹＥＳ）、第２入力画面情報を前記通信端末７０へ送信する（Ｓ２０６）。前記第２入力画面情報は、ポイント情報、特典情報等の情報のうち、必要な情報が選択できるように前記各情報の横にチェックボックスが配置されている（図示せず）。
【００７４】
前記通信端末７０は、前記情報提供装置４１から第２入力画面情報を受信した場合（ＳＴ３１４）、受信した第２入力画面情報を表示画面上に表示する（ＳＴ３１５）。そして、前記消費者Ｕは表示画面上で必要な情報の種類を選択して（ＳＴ３１６）、前記情報提供装置４１に送信する（ＳＴ３１７）。
【００７５】
前記情報提供装置４１は、前記通信端末７０から情報の種類を受信すると（ＳＴ３１８）、種類に応じた情報を前記ハードディスク４２内から取得して（ＳＴ３１９）、前記通信端末７０に送信する（ＳＴ３２０）。
【００７６】
前記通信端末７０は、前記情報提供装置４１から種類に応じた情報を受信して（ＳＴ３２１）、表示画面上に表示して（ＳＴ３２２）、処理を終了する。
【００７７】
これにより、前記消費者Ｕは所望の情報を取得することができる。その結果、所有している前記カードＣに蓄積された値引額やポイントの特典情報を容易に調べることができ、前記リサイクル製品ＣＰ及び／又は前記再リサイクル成型品ＲＭの購入に資することができると共に、資源回収の奨励となり、結果としてリサイクルシステムに寄与できることとなる。
【００７８】
図１３は他の回収装置の斜視図であり、図１４は他の回収装置の電気的構成を示すブロック図であり、図１５は有価価値の記録媒体への付与を行う場合の他の回収装置及び管理装置の動作の流れを示すフローチャートである。図１３乃至図１５において、図２，図３および図９と共通する部分には同一符号を付して、重複する説明は省略する。
【００７９】
図１３中、１０Ａは他の回収装置である。前記回収装置１０Ａにはスピーカ１５ａが取り付けられている。図１４中、２４ａは音声等出力部であり、２９ａは記憶部である。前記記憶部２９ａには所定のプログラム、音楽情報、音声情報等が記憶されている。前記スピーカ１５ａからは、前記記憶部２９ａに予め記憶させた音楽又は／及び音声が、前記音声等出力部２４ａによって流れるように構成されている。
【００８０】
そして、前記回収装１０Ａにおいては、図１５に示すように、前記消費者Ｕが前記回収装置１０Ａの投入口１１に使用済みＰＥＴボトルＰＴを投入する（ＳＴ１０１でＹＥＳ）と、前記ＤＳＰ表示部１５で、廃ＰＥＴボトルＰＴからカーペットＣＰ（リサイクル製品）ができるまでの製造工程を表示し、前記消費者Ｕの興味を惹き付ける（興趣性を高める）共にリサイクルに対する知識を教授して、リサイクル活動を奨励するとともに、前記スピーカ１５ａから前記音楽が流れる（ＳＴ４０１）。前記音楽は前記消費者Ｕにリサイクル活動を奨励させる動機付けとなるようなものが好ましく、例えば「MOTTAINAI 〜もったいない〜」（うた：ルー大柴＆仁井山 、作詞仁井山征弘作曲Super Project）のような歌曲が望ましい。また、前記の如き音楽に替えて或いは音楽と共に音声を出力させても良い。出力される音声としては、例えば、前記ディスプレイ表示部１５に表示された店内案内図に基づいた店内誘導灯を音声で案内するものが考えられる。そして、前記の音楽又は／及び音声を出力させた後は、ＳＴ１０３以降の制御を行うのである。
【００８１】
前記回収装置１０Ａに依れば、前記ＤＳＰ表示部１５における前記の如き表示に加え、前記スピーカ１５ａから流れる音楽等によっても、前記消費者Ｕに対してリサイクル活動を奨励させる動機付けを与えると共に、一方では、ＰＥＴボトルＰＴの投入に対する興趣性をも高めることとなり、より資源回収に寄与することができる。
【図面の簡単な説明】
【００８２】
【図１】本発明の資源回収システムの構成例を示すブロック図である。
【図２】回収装置の斜視図である。
【図３】回収装置の電気的構成を示すブロック図である。
【図４】管理装置の電気的構成を示すブロック図である。
【図５】カード情報ＤＢに格納されているファイルのフォーマット例を示す概念図である。
【図６】図６は、前記特典情報ＤＢに格納されているファイルのフォーマット例を示す概念図であり、（ａ）は第１特典情報ファイルを示す概念図であり、（ｂ）は第２特典情報ファイルを示す概念図である。
【図７】商品情報ＤＢに格納されているファイルのフォーマット例を示す概念図である。
【図８】精算ＤＢに格納されているファイルのフォーマット例を示す概念図である。
【図９】有価価値の記録媒体への付与を行う場合の回収装置及び管理装置の動作の流れを示すフローチャートである。
【図１０】有価価値の記録媒体への付与を行う場合の回収装置及び管理装置の動作の流れを示すフローチャートである。
【図１１】カードのポイントを用いてリサイクル製品を購入する場合及び過去に購入したリサイクル製品を回収する場合における前記店舗端末と前記管理装置の動作の流れを示すフローチャートである。
【図１２】ポイント情報取得システムの情報取得処理における通信端末及び前記情報提供装置の動作の流れを示すフローチャートである。
【図１３】他の回収装置の斜視図である。
【図１４】他の回収装置の電気的構成を示すブロック図である。
【図１５】有価価値の記録媒体への付与を行う場合の他の回収装置及び管理装置の動作の流れを示すフローチャートである。
【符号の説明】
【００８３】
Ａ      物品販売会社
Ｂ      ショッピングモールＳ／Ｍ
Ｃ      ＩＣカード
Ｄ      製造販売業者
Ｕ      消費者
ＣＰ    リサイクル製品（カーペット）
ＲＭ    再リサイクル成型品
ＰＴ    包装容器（ＰＥＴボトル）
ＮＷ    インターネット回線
Ｓ／Ｓ１，Ｓ／Ｓ２    ショッピングセンター
１０    回収装置
３０    店舗端末
５０    管理装置
【図１】
2008250974.tif 000003
【図２】
2008250974.tif 000004
【図３】
2008250974.tif 000005
【図４】
2008250974.tif 000006
【図５】
2008250974.tif 000007
【図６】
2008250974.tif 000008
【図７】
2008250974.tif 000009
【図８】
2008250974.tif 000010
【図９】
2008250974.tif 000011
【図１０】
2008250974.tif 000012
【図１１】
2008250974.tif 000013
【図１２】
2008250974.tif 000014
【図１３】
2008250974.tif 000015
【図１４】
2008250974.tif 000016
【図１５】
2008250974.tif 000017